(57)【要約】【課題】部品点数を減少させ、製造コストを安価に抑えることができ、しかも、軸筒の外径を容易に細くでき、スリムな外観を得ることができる多芯筆記具を提供する。【解決手段】軸筒２内に複数の筆記体４を前後方向に移動可能に収容する。筆記体４の後端に操作体５を取り付け、操作体５を弾発体６により後方に付勢する。軸筒２の側壁に前後方向に延びる複数の窓孔２２を貫設し、操作体５の操作部５１を窓孔２２に沿って前方にスライドさせることにより、筆記体４のペン先４１を軸筒２の前端孔２１から突出させる。軸筒２の後端に、窓孔２２を後方に開口させる開口部２３を設け、軸筒２の後端に、開口部２３を閉鎖する蓋部材３を設ける。軸筒２を単一の部材で構成する。軸筒２の内壁に、弾発体６の前端を支持する支持壁部２４を一体に形成する。蓋部材３に、ペン先突出状態の筆記体４の操作体５が係止可能な係止壁部３３を一体に形成する。【選択図】  図１
2011088418.tif 000002
【特許請求の範囲】
【請求項１】
軸筒内に複数の筆記体を前後方向に移動可能に収容し、前記各々の筆記体の後端に操作体を取り付け、前記各々の操作体を弾発体により後方に付勢し、前記軸筒の側壁に前後方向に延びる複数の窓孔を径方向に貫設し、前記軸筒の前端に前端孔を前後方向に貫設し、前記各々の窓孔から径方向外方に前記各々の操作体の操作部を突出させ、一つの操作部を窓孔に沿って前方にスライドさせることにより、その一つの操作体が取り付けられた筆記体のペン先を軸筒の前端孔から突出させるとともに先に突出状態にあった他の筆記体のペン先を軸筒内に没入させてなり、前記軸筒の後端に、前記各々の窓孔を後方に開口させる開口部を設け、前記開口部を介して筆記体及び操作体を連結状態で軸筒内に挿入可能に構成し、前記軸筒の後端に、前記開口部を閉鎖する蓋部材を設け、前記蓋部材に、ペン先没入状態の筆記体の操作体が当接可能な当接壁部を形成した多芯筆記具であって、前記軸筒を単一の部材で構成し、前記軸筒の内壁に、弾発体の前端を支持する支持壁部を一体に形成し、前記蓋部材に、ペン先突出状態の筆記体の操作体が係止可能な係止壁部を一体に形成したことを特徴とする多芯筆記具。
【請求項２】
前記蓋部材が、軸筒後端の開口部を塞ぐ底壁と、該底壁から前方に突出される前後方向に延びる係止壁部とからなり、前記係止壁部の側壁と軸筒の側壁とが係合してなる請求項１記載の多芯筆記具。
【請求項３】
軸筒後端の開口部を介して筆記体及び操作体を連結状態で軸筒内から取り外し可能且つ軸筒内に挿入可能に構成し、筆記体及び操作体を軸筒内に挿入する前の状態における弾発体の後方への移動を規制する規制壁部を蓋部材に一体に形成した請求項１または２記載の多芯筆記具。
【発明の詳細な説明】
【技術分野】
【０００１】
本発明は、多芯筆記具に関する。詳細には、軸筒内に複数の筆記体を前後方向に移動可能に収容した多芯筆記具に関する。
【背景技術】
【０００２】
従来この種の多芯筆記具において、特許文献１には、軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、軸筒の後端に、窓孔を後方に開口させる開閉自在の開口部を設け、前記開口部を介して筆記体及び操作体を連結状態で、軸筒内から取り外し可能且つ軸筒内に挿入可能に構成し、前記軸筒の後端部に、前記開口部を開閉自在とする蓋部を設け、前記蓋部の前面に、没入状態の筆記体の操作体が当接可能な当接壁部を形成したことが記載されている。
【０００３】
また、前記特許文献１には、軸筒の内壁に弾発体の前端が軸方向に当接する弾発体支持部を設けたこと、及び、前記軸筒が、前軸と、該前軸の後端部と螺合または圧入により取り付けられる後軸とからなることが記載されている。
【先行技術文献】
【特許文献】
【０００４】
【特許文献１】特開２００７−３８６３５号公報
【発明の概要】
【発明が解決しようとする課題】
【０００５】
前記特許文献１の多芯筆記具は、構成する部品が、前軸、後軸、弾発体支持部、蓋部、弾発体、筆記体、及び操作体からなり、部品点数が多く、製造コストを安価に抑えることが困難である。また、前記特許文献１の多芯筆記具は、前軸と後軸との連結部分（前軸と後軸とが重なり合う部分）が存在するため、軸筒の外径を細くするには限界があった。
【０００６】
本発明は前記従来の問題点を解決するものであって、部品点数を減少させ、製造コストを安価に抑えることができ、しかも、軸筒の外径を容易に細くでき、スリムな外観を得ることができる多芯筆記具を提供しようとするものである。
尚、本発明において、「前」とはペン先側を指し、「後」とはその反対側を指す。
【課題を解決するための手段】
【０００７】
＜１＞本願の第１の発明は、軸筒２内に複数の筆記体４を前後方向に移動可能に収容し、前記各々の筆記体４の後端に操作体５を取り付け、前記各々の操作体５を弾発体６により後方に付勢し、前記軸筒２の側壁に前後方向に延びる複数の窓孔２２を径方向に貫設し、前記軸筒２の前端に前端孔２１を前後方向に貫設し、前記各々の窓孔２２から径方向外方に前記各々の操作体５の操作部５１を突出させ、一つの操作部５１を窓孔２２に沿って前方にスライドさせることにより、その一つの操作体５が取り付けられた筆記体４のペン先４１を軸筒２の前端孔２１から突出させるとともに先に突出状態にあった他の筆記体４のペン先４１を軸筒２内に没入させてなり、前記軸筒２の後端に、前記各々の窓孔２２を後方に開口させる開口部２３を設け、前記開口部２３を介して筆記体４及び操作体５を連結状態で軸筒２内に挿入可能に構成し、前記軸筒２の後端に、前記開口部２３を閉鎖する蓋部材３を設け、前記蓋部材３に、ペン先没入状態の筆記体４の操作体５が当接可能な当接壁部３２を形成した多芯筆記具であって、前記軸筒２を単一の部材で構成し、前記軸筒２の内壁に、弾発体６の前端を支持する支持壁部２４を一体に形成し、前記蓋部材３に、ペン先突出状態の筆記体４の操作体５が係止可能な係止壁部３３を一体に形成したことを要件とする。
【０００８】
前記第１の発明の多芯筆記具１は、軸筒２を単一の部材で構成し、前記軸筒２の内壁に弾発体６の前端が支持される支持壁部２４を一体に形成し、前記蓋部材３に、ペン先突出状態の筆記体４の操作体５が係止可能な係止壁部３３を一体に形成したこと（即ち、従来の前軸、後軸、及び弾発体支持部を、単一の部材である軸筒２により構成したこと）により、部品点数を減少させることにより、製造コスト（即ち材料コスト及び組立コスト）を安価に抑えることができる。さらに、前記第１の発明の多芯筆記具１は、軸筒２を単一の部材で構成したことにより、軸筒２の外径を容易に細くでき、スリムな外観を得ることができる。
【０００９】
＜２＞本願の第２の発明は、前記第１の発明の多芯筆記具１において、前記蓋部材３が、軸筒２後端の開口部２３を塞ぐ底壁３１と、該底壁３１から前方に突出される前後方向に延びる係止壁部３３とからなり、前記係止壁部３３の側壁と軸筒２の側壁とが係合してなることを要件とする。
【００１０】
前記第２の発明の多芯筆記具１は、係止壁部３３の側壁と軸筒２の側壁とが係合してなることにより、蓋部材３と軸筒２との安定した取付状態を維持できる。
【００１１】
＜３＞本願の第３の発明は、前記第１または第２の発明の多芯筆記具１において、軸筒２後端の開口部２３を介して筆記体４及び操作体５を連結状態で軸筒２内から取り外し可能且つ軸筒２内に挿入可能に構成し、筆記体４及び操作体５を軸筒２内に挿入する前の状態における弾発体６の後方への移動を規制する規制壁部３４を蓋部材３に一体に形成したことを要件とする。
【００１２】
前記第３の発明の多芯筆記具１は、筆記体４及び操作体５を軸筒２内に挿入する前の状態における弾発体６の後方への移動を規制する規制壁部３４を蓋部材３に一体に形成したことにより、筆記体４及び操作体５を軸筒２内に挿入する前の状態において、軸筒２後端の開口部２３から弾発体６が脱落することを回避できる。
【発明の効果】
【００１３】
本発明の多芯筆記具は、部品点数を減少させ、製造コストを安価に抑えることができ、しかも、軸筒の外径を容易に細くでき、スリムな外観を得ることができる。
【図面の簡単な説明】
【００１４】
【図１】本発明の多芯筆記具の実施の形態の非筆記時（両方のペン先が没入状態）の縦断面図である。
【図２】図１の筆記時（片方のペン先が突出状態）の縦断面図である。
【図３】図１の軸筒の斜視図である。
【図４】図１の筆記体及び操作体を軸筒内に挿入する前の状態の軸筒を示す縦断面図である。
【図５】図１の蓋部材の斜視図である。
【図６】図１の蓋部材の正面図である。
【図７】図６の蓋部材の左側面図及び右側面図である。
【図８】図６の蓋部材の底面図である。
【図９】図１の斜視図である。
【図１０】図９の軸筒を省略した斜視図である。
【図１１】図１の開口部を開口させて筆記体及び操作体を交換する方法を示す縦断面図である。
【図１２】図１１の正面図である。
【発明を実施するための形態】
【００１５】
図１乃至図１２に本発明の実施の形態を示す。
本実施の形態の多芯筆記具１は、軸筒２と、該軸筒２内に前後方向に移動可能に収容される複数本（例えば２本）の筆記体４と、該各々の筆記体４の後端に連結される操作体５と、各々の筆記体４を後方に付勢する弾発体６（具体的には圧縮コイルスプリング）と、軸筒２後端に取り付けられる蓋部材３とからなる。
【００１６】
・軸筒
前記軸筒２は、扁平状（横断面が略長方形状）であり、合成樹脂（例えば、ポリカーボネイト等）の射出成形により得られる。本発明では、軸筒２の横断面形状は、扁平状以外にも、例えば、円形状、多角形、楕円形等であってもよい。
【００１７】
前記軸筒２は、大面積を有する一対の大側壁２ａと、小面積を有する一対の小側壁２ｂとからなる側壁を備える。前記軸筒２の前端には、筆記体４のペン先が突出可能な２個の前端孔２１が前後方向に貫設される。前記２個の前端孔２１は、ペン先４１下向きで大側壁２ａを正面視したときの大側壁２ａの中心線に対して左右対称位置に設けられる。本発明は、これ以外にも、前記前端孔２１は大側壁２ａの中心線上に１個、設ける構成であってもよい。
【００１８】
前記軸筒２の後部の各々小側壁２ｂには、前後方向に延びる細長状の窓孔２２が、径方向に貫設される。前記２本の窓孔２２は、互いに、大側壁２ａの中心線に対して左右対称位置に形成される。また、前記軸筒２の後端には、前後方向に貫通し且つ径方向外方に開口する開口部２３が形成される。前記開口部２３は、軸筒２の後端において窓孔２２と連通され、それにより、窓孔２２後端が後方に切り欠かれ後方に開口されている。一方、前記窓孔２２の前端は常時閉鎖されている。
【００１９】
前記後軸の窓孔２２の相互間の各々の大側壁２ａには、前後方向に延びる係合孔２５が貫設される。前記係合孔２５は、前後の二箇所に拡大孔を備える。即ち、前記係合孔２５は、前側の拡大孔２５ａ及び後側の拡大孔２５ｂを備える。
【００２０】
前記窓孔２２前端より前方の軸筒２内壁には、弾発体６の前端を支持する支持壁部２４が一体に形成される。前記支持壁部２４は後向きの段部からなる。
【００２１】
・蓋部材
前記蓋部材３は、軸筒２後端の開口部２３を塞ぐ底壁３１と、該底壁３１前面から前方に一体に連設される１対の前後方向に延びる板状片よりなる係止壁部３３と、前記各々の係止壁部３３から前方に一体に連設される前後方向に延びる板状片よりなる規制壁部３４と、前記各々の係止壁部３３及び規制壁部３４の径方向外面に一体に形成される前後方向に延びる係合突条３５と、前記底壁３１前面から前方に一体に突設される当接壁部３２とからなる。
【００２２】
前記当接壁部３２の前端は、前記係止壁部３３の前端よりも後方に位置される。また、前記当接壁部３２は、前記係止壁部３３の相互間の径方向外方に位置される。
【００２３】
前記蓋部材３を軸筒２後端に取り付けると、前記蓋部材３の底壁３１が軸筒２後端の開口部２３を閉鎖し、前記蓋部材３の係止壁部３３及び規制壁部３４が軸筒２後端の開口部２３内に挿入される。前記蓋部材３を軸筒２後端に取り付けた状態において、前記係止壁部３３が各々の窓孔２２の両側の軸筒２内部に配置され、且つ、前記当接壁部３２が各々の窓孔２２の後端に配置される。
【００２４】
前記係止壁部３３の前端に、ペン先突出状態の筆記体４の後端に連結された操作体５の後端が係止される。前記係止壁部３３の窓孔２２側の側壁外面を、操作体５の係止突起が摺動する。前記係止壁部３３は、１つの窓孔２２に対して２本、設けられる。本実施の形態では、一方の窓孔３３と他方の窓孔３３に対応する係止壁部３３が一体に連結されている。
【００２５】
前記当接壁部３２の前端に、ペン先没入状態の筆記体４の後端に連結された操作体５の後端が当接される。
【００２６】
前記規制壁部３４は、筆記体４及び操作体５を軸筒２内に挿入する前の状態において、弾発体６の後端近傍に位置され、弾発体６の後方移動を規制するため、軸筒２後端の開口部２３から弾発体６が脱落することを回避できる。
【００２７】
前記係合突条３５は膨出部３５ａを備える。前記係合突条３５は、軸筒２の前後方向に延びる係合孔２５に前後にスライド可能に係合される。それにより、前記蓋部材３は、軸筒２に対して前後方向に移動可能である。前記膨出部３５ａは、前側の拡大孔２５ａと後側の拡大孔２５ｂとに係合可能である。
【００２８】
蓋部材３を軸筒２後端から後方に引き出し、軸筒２後端の開口部２３を開口させたとき、蓋部材３の膨出部３５ａが、軸筒２の後側の拡大孔２５ｂに係合される。前記膨出部３５ａと後側の拡大孔２５ｂとの係合により、軸筒２後端の開口部２３の開口状態が維持される。
【００２９】
蓋部材３を軸筒２後端の開口部２３に挿入し、軸筒２後端の開口部２３を閉鎖したとき、蓋部材３の膨出部３５ａが、軸筒２の前側の拡大孔２５ａに係合される。前記係合孔２５の前側の拡大孔２５ａと係合突条３５の膨出部３５ａとの係合により、蓋部材３と軸筒２との安定した取付状態（即ち開口部２３の閉鎖状態）が維持される。
【００３０】
また、蓋部材３を軸筒２後端の開口部２３に組み込む過程で、係合孔２５に係合突条３５が係合する前に、蓋部材３の係止壁部３３が軸筒２後端の側壁を径方向外方に弾性変形させる。軸筒２後端は、各々の窓孔２２が開口部２３により後方に切り欠かれているため、容易に径方向外方に弾性変形可能である。
【００３１】
・筆記体
前記各々の筆記体４は、ボールペンレフィルであり、前端にボールが回転可能に抱持されたボールペンチップ（即ちペン先４１）と、該ボールペンチップを前端に備え且つ後端が開口されたインキ収容管４２とからなる。前記インキ収容管４２の内部には、インキと、インキの消費に伴い前進する高粘度流体からなる追従体が充填される。尚、本発明で、前記筆記体４は、ボールペンレフィル以外に、例えば、シャープペンシルレフィル、マーキングペンレフィル、入力ペンレフィル等が挙げられる。
【００３２】
また、前記ボールペンチップは、前端に回転可能に抱持されたボールを弾発体等により前方に付勢し、前端縁部の内面にボールを密接させる構成でもよい。また、ボールペンチップは、インキ収容管４２の前端開口部に圧入等により直接、取り付けてもよいが、本実施の形態ではペン先ホルダーを介してインキ収容管４２の前端開口部に固着される。
【００３３】
・操作体
前記各々の筆記体４の後端（即ちインキ収容管４２の後端開口部）には、操作体５が取り付けられる。前記各々の操作体５は、後端部に形成され且つ軸筒２の窓孔２２から外部に突出する操作部５１と、該操作部５１の反対側に設けられる後側突出部５３と、該操作部５１の反対側の後側突出部５３の前方に設けられる前側突出部５２と、前端部に形成され且つインキ収容管４２の後端開口部に嵌入される嵌入部５４と、該嵌入部５４の後方に形成される鍔部５５とを備える。前記嵌入部５４は、インキ収容管４２の後端開口部に嵌入された際、インキ収容管４２の後端開口部を完全には塞がず、インキ収容管４２の内部と外部とを通気可能にする。また、前記鍔部５５の前面には、弾発体６の後端が係止される。また、前記操作体５の両方の側面には係止突起（図示せず）が形成される。前記係止突起は窓孔２２の両方の側壁内面に係合可能である。
【００３４】
筆記体４のペン先４１が没入状態のとき、その筆記体４に取り付けられた操作体５の後端部は、蓋部材３の底壁３１前面に一体に形成された当接壁部３２の前端に当接される。一方、筆記体４のペン先４１が突出状態のとき、その筆記体４に取り付けられた操作体５の後端部は、蓋部材３の底壁３１前面に一体に形成された係止壁部３３の前端に係止される。
【００３５】
ペン先没入状態にある筆記体４の後端に連結された操作体５の前側突出部５２は、その操作体５の操作部５１を前方にスライド操作した際、先にペン先突出状態にある他の筆記体４の後端に連結された操作体５の後側突出部５３と当接され、他の筆記体４のペン先突出状態が解除される。
【００３６】
・弾発体
前記各々の弾発体６は、コイルスプリングよりなる。前記各々の弾発体６の前端は、軸筒２の内壁の支持壁部２４に係止され、一方、前記各々の弾発体６の後端は、操作体５の鍔部５５の前面に係止される。前記各々の弾発体６内に筆記体４が遊挿される。
【００３７】
前記各々の弾発体６は、各々の操作体５（即ち各々の筆記体４）を、常時、後方に付勢している。前記各々の弾発体６は、ペン先突出状態及びペン先没入状態のいずれにおいても圧縮状態（即ち筆記体４６が後方に付勢された状態）にあり、それにより、各々の操作体５７の前後のがたつきが防止される。また、筆記体４を軸筒２内に収容する前の状態において、各々の弾発体６は、軸筒２内壁の支持壁部２４と、蓋部材３の規制壁部３４との間に配置され、前後方向の移動が規制される。
【００３８】
・筆記体及び操作体の交換
本実施の形態における筆記体４及び操作体５の交換について説明する。
筆記体４及び操作体５を交換する際、蓋部材３が軸筒２後端の開口部２３を閉鎖した状態から、蓋部材３を後方に引き出し、軸筒２の係合孔２５の前側の拡大孔２５ａと、蓋部材３の係合突条３５の膨出部３５ａとの係合状態を解除し、前後方向に延びる係合孔２５に沿って係合突条３５を後方に移動させ、軸筒２の後端の開口部２３を開口する。このとき、軸筒２の係合孔２５の後側の拡大孔２５ｂと、蓋部材３の係合突条３５の膨出部３５ａとが係合し、開口部２３の開口状態が維持される。
【００３９】
前記軸筒２後端の開口部２３が開口した状態で、操作体５を取り出すことにより、その操作体５と互いに連結状態にある筆記体４を、前記開口部２３及び窓孔２２を介して軸筒２内から取り出し、その後、互いに連結状態にある新たな筆記体４と新たな操作体５とを前記開口部２３及び窓孔２２を介して軸筒２内に挿入する。そして、蓋部材３を前方に押圧し、軸筒２の係合孔２５の後側の拡大孔２５ｂと膨出部３５ａとの係合を解除し、前後方向に延びる係合孔２５に沿って係合突条３５を前方に移動させ、その後、軸筒２の係合孔２５の前側の拡大孔２５ａと、蓋部材３の係合突条３５の膨出部３５ａとを係合させ、開口部２３の閉鎖状態が維持される。これにより、筆記体４及び操作体５の交換作業が終了する。
【００４０】
本実施の形態の多芯筆記具１は、軸筒２を単一の部材で構成し、軸筒２の内壁に弾発体６の前端が支持される支持壁部２４を一体に形成し、蓋部材３に、ペン先突出状態の筆記体４の操作体５が係止可能な係止壁部３３を一体に形成したことにより、部品点数を減少させることにより、製造コスト（即ち材料コスト及び組立コスト）を安価に抑えることができる。さらに、本実施の形態の多芯筆記具１は、軸筒２を単一の部材で構成したことにより、軸筒２の外径を容易に細くでき、スリムな外観を得ることができる。
【００４１】
本実施の形態の多芯筆記具１は、係止壁部３３の側壁と軸筒２の側壁とが係合してなることにより、蓋部材３と軸筒２との安定した取付状態を維持できる。
【００４２】
本実施の形態の多芯筆記具１は、筆記体４及び操作体５を軸筒２内に挿入する前の状態における弾発体６の後方への移動を規制する規制壁部３４を蓋部材３に一体に形成したことにより、筆記体４及び操作体５を軸筒２内に挿入する前の状態において、軸筒２後端の開口部２３から弾発体６が脱落することを回避できる。
【符号の説明】
【００４３】
１  多芯筆記具
２  軸筒
２１  前端孔
２２  窓孔
２３  開口部
２４  支持壁部
２５  係合孔
２５ａ  前側の拡大孔
２５ｂ  後側の拡大孔
２ａ  大側壁
２ｂ  小側壁
３  蓋部材
３１  底壁
３２  当接壁部
３３  係止壁部
３４  規制壁部
３５  係合突条
３５ａ  膨出部
４  筆記体
４１  ペン先（ボールペンチップ）
４２  インキ収容管
５  操作体
５１  操作部
５２  前側突出部
５３  後側突出部
５４  嵌入部
５５  鍔部
６  弾発体
【図１】
2011088418.tif 000003
【図２】
2011088418.tif 000004
【図３】
2011088418.tif 000005
【図４】
2011088418.tif 000006
【図５】
2011088418.tif 000007
【図６】
2011088418.tif 000008
【図７】
2011088418.tif 000009
【図８】
2011088418.tif 000010
【図９】
2011088418.tif 000011
【図１０】
2011088418.tif 000012
【図１１】
2011088418.tif 000013
【図１２】
2011088418.tif 000014